(57)【要約】      （修正有）【課題】ノイズが既知の構造よりも少ないクッション長さ調整器及びクッション長さ調整器付き車両シートを提供する。【解決手段】摺動子１２は、ウォーム１０によって回転されるウォームギヤ／ナット６によって作動される送りねじ７によってレール１１沿いに押される。ウォームギヤ／ギヤナット及びウォームはギヤボックス５の一部である。ウォームは、システムの一次動力源であるモータ９に接続される運動結合器８を有する。摺動子は、ナイロン製滑り材が被覆され、連結器１３の一端を収容する回転関節Ｂが設けられる。連結器の他端は、他の回転関節Ｃを介してパドル１に取り付けられる。モータがウォームを回転させると、ウォームギヤ／ナットが回転して送りねじを、摺動子とともにレール沿いに押す。連結器の下側関節Ｂが前方に押され、連結器の上側関節Ｃが、パドルを押し上げ、関節Ａまわりに回転させ、それに引き続きクッションを拡張する。【選択図】図１
2016214871.tif 000002
【特許請求の範囲】
【請求項１】
クッション長さ調整器であって、
クッション枢動関節を有するクッション要素と、
前記クッション枢動関節において前記クッションに関節接続され、かつ、クッション拡張部拡張位置とクッション拡張部収縮位置との間で枢動可能なクッション拡張部と、
調整器回転駆動部と、
前記クッション要素に固定された摺動子案内路と、
前記摺動子案内路に沿って動く摺動子と、
前記摺動子を前記摺動子案内路に沿って動かすべく、前記調整器回転駆動部を前記摺動子に接続する伝動部と、
クッション拡張部枢動関節において前記クッション拡張部に関節接続され、かつ、摺動子枢動関節において前記摺動子に関節接続された連結器と
を含み、
前記摺動子調整器回転駆動部が動く方向が、前記摺動子が前記摺動子案内路に沿って動く方向を決定し、
前記調整器回転駆動部の回転により、前記クッション拡張部が、前記クッション拡張部拡張位置と前記クッション拡張部収縮位置との間を動くクッション長さ調整器。
【請求項２】
前記調整器回転駆動部はモータを含む請求項１に記載のクッション長さ調整器。
【請求項３】
前記伝動部は、
前記摺動子に接続されて外部ねじ山を含む送りねじと、
内部ねじ山を含んで前記クッション要素に対して軸方向に支持されるウォームギヤ／ナットと、
前記駆動部に接続されたウォームと
を含み、
前記送りねじは、前記ウォームギヤ／ナットの回転のときに軸方向に動かされ、
前記ウォームの回転が前記ウォームギヤ／ナットの回転を引き起こす請求項１に記載のクッション長さ調整器。
【請求項４】
前記伝動部はさらに、前記クッション要素に固定されたギヤボックスを含み、
前記ギヤボックスは、前記ウォームギヤ／ナット及び前記ウォームのそれぞれを支持する請求項３に記載のクッション長さ調整器。
【請求項５】
支持要素が前記ギヤボックスを支持し、かつ、前記ギヤボックスを前記クッション要素に接続する請求項４に記載のクッション長さ調整器。
【請求項６】
前記調整器回転駆動部は、
前記支持要素によって支持されたモータと、
前記モータを前記伝動部のウォームに動作可能に接続する運動結合器と
を含み、
前記モータ及び前記運動結合器が前記支持要素によって支持される請求項５に記載のクッション長さ調整器。
【請求項７】
前記支持要素は、前記摺動子案内路を画定するレールを含む請求項６に記載のクッション長さ調整器。
【請求項８】
前記支持要素は、
前記支持要素を前記クッション要素に接続する第１取り付け箇所と、
前記支持要素を前記クッション要素に接続する第２取り付け箇所と
を含む請求項７に記載のクッション長さ調整器。
【請求項９】
前記摺動子案内路及び前記摺動子の少なくとも一方が摩擦低減支承配列体を形成するべく協働する請求項１に記載のクッション長さ調整器。
【請求項１０】
前記摩擦低減支承配列体は、前記摺動子案内路及び前記摺動子の一方が、前記摺動子案内路及び前記摺動子の他方の表面に係合する箇所にナイロン製滑り材を含む請求項９に記載のクッション長さ調整器。
【請求項１１】
車両シートであって、
シートベースと、
シートバックレストと、
請求項１から１０のいずれか一項に記載のクッション長さ調整器と
を含み、
前記シートベースが前記クッション要素からなる車両シート。
【発明の詳細な説明】
【技術分野】
【０００１】
本発明は一般に車両シートに関し、詳しくは、クッション長さ調整器と、かかるクッション長さ調整器を有する車両シートに関する。
【背景技術】
【０００２】
車両シートには、クッション（座部又はシートベースとしても知られる）が設けられる。これは、クッション長さ（バックレスト接続部近くの端から前端までの距離、例えば車両進行方向のシートベース長さ寸法）が固定されるのが最も典型的である。車両シートには、クッション長さの調整を許容するクッション長さ調整器が設けられてきた。しかしながら、かかるクッション長さ調整器は、車両シート全体に対し多大な質量を追加する。さらに、かかるクッション長さ調整器には、初期長さと拡張クッション長さとの間でクッション長さの切り替えを駆動するモータが設けられる。モータ／駆動部／伝動部が、不要かつ過剰なノイズを生成する。
【発明の概要】
【０００３】
本発明の目的は、クッション長さ調整器の質量が低減され、配列体及び当該配列体の運動により、動作中に生じるノイズが既知の構造よりも少ないクッション長さ調整器及びクッション長さ調整器付き車両シートを与えることにある。
【０００４】
本発明によれば、クッション要素すなわちクッション枢動関節付きクッション受け皿を含むクッション長さ調整器が与えられる。クッション拡張要素、特にパドルが、クッション枢動関節においてクッション受け皿に関節接続され、パドル拡張位置とパドル収縮位置との間で枢動可能となる。調整器回転駆動部が、摺動子案内路に沿って動く摺動子と協働する。伝動部が調整器回転駆動部と摺動子とを接続し、当該摺動子を摺動子案内路沿いに動かす。摺動子調整器回転駆動部の動き方向が、摺動子案内路沿いの摺動子の動き方向を決定する。連結器又は連結器配列体が、パドル枢動関節においてパドルに関節接続され、かつ、摺動子枢動関節において摺動子に関節接続される。調整器回転駆動部の回転によりパドルは、パドル拡張位置とパドル収縮位置との間で動く。
【０００５】
調整器回転駆動部はモータを含み得る。モータは、回転するべく取り付けられた駆動シャフトと協働し得る。
【０００６】
伝動部は、摺動子に接続された送りねじを含み得る。送りねじは、外部ねじ山を有し得る。内部ねじ山を有するウォームギヤ／ナットが、当該ウォームギヤ／ナットの回転時に送りねじを軸方向に動かすべくクッション要素に対して軸方向に支持され得る。伝動部はさらに、駆動部に接続されたウォームを含み得る。ウォームの回転がウォームギヤ／ナットの回転を引き起こす。
【０００７】
伝動部はさらに、クッション要素に固定されたギヤボックスを含み得る。ギヤボックスは、ウォームギヤ／ナット及びウォームのそれぞれを支持し得る。支持要素が、ギヤボックスを支持し、当該ギヤボックスをクッション要素に接続し得る。
【０００８】
調整器回転駆動部は、支持要素によって支持されたモータと、モータを伝動部のウォームに動作可能に接続する運動結合器とを含み得る。モータ及び運動結合器は支持要素によって支持され得る。
【０００９】
支持要素は、摺動子案内路を画定するレールを含み得る。支持要素は、支持要素をクッション要素に接続する第１取り付け箇所と、支持要素をクッション要素に接続する第２取り付け箇所とを含み得る。
【００１０】
本発明のさらなる側面によれば、クッション及びバックレストとクッション長さ調整器とを含む車両シートが与えられる。クッション長さ調整器は、クッションのクッション要素、すなわちクッション枢動関節付きクッション受け皿からなる。クッション拡張要素、特にパドルが、クッション枢動関節においてクッション受け皿に関節接続され、パドル拡張位置とパドル収縮位置との間で枢動可能となる。調整器回転駆動部が、摺動子案内路に沿って動く摺動子と協働する。伝動部が調整器回転駆動部と摺動子とを接続し、当該摺動子を摺動子案内路沿いに動かす。摺動子調整器回転駆動部の動き方向が、摺動子案内路沿いの摺動子の動き方向を決定する。連結器が、パドル枢動関節においてパドルに関節接続され、かつ、摺動子枢動関節において摺動子に関節接続される。調整器回転駆動部の回転によりパドルは、パドル拡張位置とパドル収縮位置との間で動く。
【００１１】
本発明を特徴付ける新規な様々な特徴が、本開示に添付されて本開示の一部をなす特許請求の範囲において具体的に指摘される。本発明、その動作上の利点、及びその使用により達成される特定の目的を良好に理解するべく、本発明の好ましい実施形態が例示される添付図面及び記述事項が参照される。
【図面の簡単な説明】
【００１２】
【図１】本発明に係るクッション長さ調整器の模式的な図である。
【図２】本発明に係るクッション長さ調整器の一実施形態の部分破断斜視図であり、クッション拡張部の一部を破線で示す。
【図３】完全下降位置にあるように示された図２のクッション長さ調整器の側面部分破断図であり、ＩＶ−ＩＶ、Ｖ−Ｖ及びＶＩ−ＶＩ断面を示す。
【図４】図３のＩＶ−ＩＶ線から見た断面図である。
【図５】図３のＶ−Ｖ線から見た断面図である。
【図６】図３のＶＩ−ＶＩ線から見た断面図である。
【図７】図３に係る側面部分破断図であるが、ＶＩＩ−ＶＩＩ断面を示す。
【図８】図７のＶＩＩ−ＶＩＩ線から見た断面図である。
【図９】完全上昇位置にあるように示された図２のクッション長さ調整器の側面部分破断図である。
【図１０】図１０Ａは、本発明に係る車両シートの模式的な側面図であり、クッション長さ調整器の部品は示されないが、下降位置にある車両シートクッション拡張部（パドル）を示す。図１０Ｂは図１０Ａの車両シートの模式的な側面図であり、上昇位置にある車両シートクッション拡張部（パドル）を示す。
【発明を実施するための形態】
【００１３】
図面を参照すると、図１は、本発明に係るクッション長さ調整器３０の一実施形態に係る一定範囲の特徴及び運動を模式的に示す。クッション拡張部（パドル）１は、枢動関節Ａを介してクッション部（クッション受け皿）４に関節接続される。支持体３によって、ギヤボックス５がクッション受け皿４に取り付けられる。他の支持体２によって、レール（摺動子案内路）１１がクッション受け皿４に取り付けられる。レール１１の上では、摺動子１２が前後に移動する。摺動子１２は、送りねじ７によってレール１１沿いに押され又は引かれる。送りねじ７は、ウォームギヤ／ナット６によって作動される。ウォームギヤ／ナット６は、ウォーム１０によって回転される。ウォーム／ギヤナット６及びウォームギヤ又はウォーム１０は、ギヤボックス５に取り付けられ、かつ、ギヤボックス５の一部である。ギヤボックス５は、ウォーム／ギヤナット６の支承部と協働し、かつ、ウォーム１０の支承部と協働する支承台を含み得る。ウォーム１０は、モータ９に接続された運動結合器８を有する。モータ９は、システムにおける一次動力駆動源である。摺動子１２は、ナイロン製滑り材１４で被覆され（図１１）、連結器１３の一端を収容する回転関節Ｂが設けられる。連結器１３の他端は、他の回転関節Ｃを介してパドル１に取り付けられる。関節Ａ、Ｂ、Ｃはそれぞれ、支承関節接続部２０、２２及び２４に基づく接続を与える。
【００１４】
パドル１を完全下降位置から上昇位置へ動かすべくモータ９は、送りねじ７を前方に動かす方向に回転する。モータ９がウォーム１０を回転させると、ウォームギヤ／ナット６が回転して送りねじ７を摺動子１２とともに、レール１１沿いに軸方向に押す。連結器１３の下側関節Ｂが前方に押されるので、連結器１３の上側関節Ｃは、パドル１を押し上げ、パドル１を関節Ａまわりに回転させ、それに引き続き、クッション受け皿４とパドル１との組み合わせに基づいてクッション長さを拡張する（図９及び１０Ｂを参照）。モータ９がウォーム１０を逆方向に回転させると、摺動子１２は後方に動くので、連結器１３はパドル１を押し下げ、関節Ａまわりにパドル１を回転させる。
【００１５】
図２は、部分的に破断されたクッション受け皿４に関節接続されたパドル１を有するクッション長さ調整器３０の斜視図を示す。支持体３は、２つの類似部品３２Ｒ、３２Ｌから形成される。これらはまた、レール１１及び他の支持体２も形成する（図７参照）。２つの部品３２Ｒ、３２Ｌは、終端片２５によって、かつ、ギヤボックス５の一部分又は支持体分２７によって接合される（図６及び８参照）。レール１１の２つの部品は、摺動子１２を受け入れる中央トラック又は溝を与える。摺動子１２は、２つの摺動子部品を有する。２つの摺動子部品はそれぞれ、レール表面に係合する上側及び下側フランジ部品を有する。図４に示されるように、摺動子１２のレール対向表面は、摩擦低減支承配列体を有する。これは、ナイロン製滑り材１４の形態のライニングを含む摩擦低減表面を有する。その代わりに摩擦低減表面は、レール１１の表面に存在してもよい。摺動子１２及びレール１１はまた、ボールベアリング又は他の同様の摩擦低減ベアリングを有するように形成された摩擦低減支承配列体を有し得る。摺動子１２は、連結器１３との枢動接続を与える支承関節２２を支持する。
【００１６】
図３及び７に見えるように、折り畳み位置において摺動子１２は、ギヤボックス５に最も近くなる。折り畳み位置において送りねじ７は、後ろ向き方向に延びる。３つの枢動軸Ａ、Ｂ及びＣはベアリング２０、２２及び２４によって与えられ、摺動子１２がトラック１１沿いに前方に動かされるときに、連結器１３がパドル１を上昇位置に向けて動かすことを許容する。コンパクトかつ低質量の配列体が、線形トラック配列体を、回転モータ９を使用して駆動することによって得られる。
【００１７】
回転モータ９は、ブラケット３４によって支持される（図８参照）。ブラケット３４は、ギヤボックス配列体５に接続され、かつ、支持体２、３及びレール１１に接続される。ギヤボックス５は、図６に示されるようにウォームギヤ／ナット６を支持する。ギヤボックス５及びウォームギヤ／ナット６は、送りねじ７を支持する。ギヤボックス５はまた、ウォーム１０も支持する。図８に示されるように、ウォーム１０は、駆動シャフトの形態の運動結合器８に接続される。
【００１８】
モータ９及び駆動シャフト８が調整器回転駆動部を形成する。ギヤボックス５、ウォームギヤ／ナット６、送りねじ７及びウォーム１０が、調整器回転駆動部を摺動子１２に接続する伝動部を形成し、摺動子案内路１１沿いに摺動子１２を動かす。この実施形態において、伝動部５、６、７、１０は、モータ９の回転駆動を摺動子の線形動に変換する。駆動シャフト８の回転出力はまた、摺動子が動く方向に対して直角をなす。モータ９は、摺動子１２をトラック１１沿いに前方及び後方に動かすべく、２つの回転方向に駆動することができる。
【００１９】
図２及び図８は、支持体３の２つの取り付け箇所を具体的に示す。これらは、クッション長さ調整器３０をクッション受け皿４の下側にボルト（図示せず）によって固定するための接続開口２３を与える。図９に見ることができるように、支持体２によってクッション長さ調整器３０のレール１１の前端がクッション受け皿４に接続される。支持体２、３、レール１１、並びに支持及びギヤボックス領域５が、堅固な構造配列体によって与えられる。これは、終端片２５と協働する右側及び左側部品３２Ｒ及び３２Ｌ、並びにギヤボックス支持体２７及びギヤボックス５を含む（図６）。終端片２５及びギヤボックス支持体２７は、右側及び左側部品３２Ｒ及び３２Ｌに溶接等によって固定される。モータブラケット３４は、ギヤボックス支持体２７に溶接等によって固定される。得られた構造体は軽量であり、車両シートによって完全に支持される。すなわち、クッション受け皿４との接続部２及び３によって完全に支持される。
【００２０】
図１０Ａは、本発明に係る車両シート７０を模式的に示す。車両シート７０は、座部４及びパドル１を含むが、調整器３０の特徴部は省略される。車両シート７０はまた、バックレスト５０も含む。車両シート７０は、座部４の上方に配置されてパドル１の表面に接触する発泡体４０を含む。発泡体４０は、図１０Ａに示されるように、折り畳み位置において枢動軸Ａのまわりを包み込む。図１０Ｂは、上昇位置にある車両シート７０を示す。
【００２１】
本発明の特定の実施形態が、本発明の原理の適用を例示するべく図示かつ詳述されたが、本発明が、かかる原理から逸脱することなく他の方法で実施できることが理解される。
【図１】
2016214871.tif 000003
【図２】
2016214871.tif 000004
【図３】
2016214871.tif 000005
【図４】
2016214871.tif 000006
【図５】
2016214871.tif 000007
【図６】
2016214871.tif 000008
【図７】
2016214871.tif 000009
【図８】
2016214871.tif 000010
【図９】
2016214871.tif 000011
【図１０】
2016214871.tif 000012
【外国語明細書】
2016214871000001.pdf